(57)【特許請求の範囲】
【請求項１】
互いに同一時間軸上の同一期間に再生処理の対象として扱われる、少なくとも主映像パケット及び副映像パケットをユニット化して、このユニットが複数連続して記録され、前記副映像パケットは、前記主映像パケットの主映像に現れる個々の対象物に関する補足情報の群と、前記主映像の中から任意の対象物を選択するためのメニューを構成するメニュー構成情報とを含む記録媒体を再生する再生装置において、
前記副映像パケットから前記メニュー構成情報を抽出し、これを再生して前記主映像と共に前記メニューを表示するメニュー再生手段と、
前記表示されたメニューの中から任意に選択された対象物に関する補足情報を前記副映像パケットから抽出し、これを再生して前記主映像と共に表示する補足情報再生手段とを具備することを特徴とする記録媒体再生装置。
【請求項２】
互いに同一時間軸上の同一期間に再生処理の対象として扱われる、少なくとも主映像パケット及び副映像パケットをユニット化して、このユニットが複数連続して記録され、前記副映像パケットは、前記主映像パケットの主映像に現れる個々の対象物に関する補足情報の群と、前記主映像の中から任意の対象物を選択するための第１のメニューを構成する第１のメニュー構成情報と、前記第１のメニューで選択された対象物の関する情報の中から任意の情報を選択するための第２のメニューを構成する複数の第２のメニュー構成情報とを含む記録媒体を再生する再生装置において、
前記副映像パケットから前記第１のメニュー構成情報を抽出し、これを再生して前記主映像と共に前記第１のメニューを表示する第１のメニュー再生手段と、
前記表示された第１のメニューの中から任意に選択された対象物に対応する前記第２のメニュー構成情報を前記副映像パケットから抽出し、これを再生して前記主映像と共に前記第２のメニューを表示する第２のメニュー再生手段と、
前記表示された第２のメニューの中から任意に選択された対象物に関する補足情報を前記副映像パケットから抽出し、これを再生して前記主映像と共に表示する補足情報再生手段とを具備することを特徴とする記録媒体再生装置。
【発明の詳細な説明】
【０００１】
【産業上の利用分野】
本発明は、映像データとして動画等の主映像とこれと同時に再生される副映像とを記録した記録媒体を再生する記録媒体再生装置に関する。
【０００２】
【従来の技術】
従来から、音声・映像データを記録した光ディスクを再生するシステムが広く普及しており、映画ソフトの再生やカラオケシステム等に応用されている。また近年、動画データを圧縮符号化する技術を用いることで、旧来のＣＤと同一サイズの光ディスクに、より高画質な画像をより長時間記録できる光ディスクシステムの検討が行われる。
【０００３】
図４はかかる従来の光ディスクにおける記録データの論理フォーマットを示す図である。
【０００４】
同図に示すように、記録データであるデータストリーム１００は、データユニット（以下、ＤＵＴと称す。）１０１と呼ばれる単位で論理的に区切られている。ＤＵＴ１０１はＤＵＴヘッダ１０２、副映像データ１０３、音声データ１０４及び主映像データ１０５からなる。主映像データ１０５はＭＰＥＧ２等の国際標準規格の圧縮方式により圧縮されたデータである。副映像データ１０３は主映像に補助的に付加される文字情報である。例えば、主映像が映画ならばその映画の字幕データが、主映像がカラオケ映像ならばその歌詞データがそれぞれ副映像データ１０３として記録される。また、副映像データ１０３は複数（ｍ個）のチャネル１０６〜１１０を有する。これらの副映像チャネル１０６〜１１０には、例えば主映像が映画の場合、英語、フランス語、日本語のように言語種別の異なる字幕データがそれぞれ記録される。これら複数の副映像チャネル１０６〜１１０の中から、予めユーザによって選択されたチャネルの副映像データだけが再生される。
【０００５】
一方、ＤＵＴヘッダ１０２には、図５に示すように、各副映像チャネルのそれぞれの位置情報（アドレス）が記述されている。従って、再生装置はユーザより任意のチャネルが選択されたとき、本ヘッダ情報を基に目的の副映像チャネルのアドレスを取得し、目的の副映像チャネルを再生することができる。
【０００６】
このように、主映像に副映像をスーパーインポーズすることのできるシステムは従来より存在する。しかし、副映像の用途は字幕や歌詞等といった簡単な映像情報のみに限られているのが現状である。
【０００７】
【発明が解決しようとする課題】
このように従来、副映像は主映像の字幕や歌詞等に利用されるだけであった。そこで本発明は、副映像として、主映像の中の対象物に関する補足情報を記録し、ユーザが希望する対象物を任意に選択することでその対象物に関する補足情報を主映像と同時に表示させることのできる記録媒体再生装置を提供することを目的とする。
【００１０】
【課題を解決するための手段】
本発明の記録媒体再生装置は上記した目的を達成するために、互いに同一時間軸上の同一期間に再生処理の対象として扱われる、少なくとも主映像パケット及び副映像パケットをユニット化して、このユニットが複数連続して記録され、副映像パケットは、主映像パケットの主映像に現れる個々の対象物に関する補足情報の群と、主映像の中から任意の対象物を選択するためのメニューを構成するメニュー構成情報とを含む記録媒体を再生する再生装置において、副映像パケットからメニュー構成情報を抽出し、これを再生して主映像と共にメニューを表示するメニュー再生手段と、表示されたメニューの中から任意に選択された対象物に関する補足情報を副映像パケットから抽出し、これを再生して主映像と共に表示する補足情報再生手段とを具備することを特徴とするものである。
【００１１】
さらに、本発明の記録媒体再生装置は上記した目的を達成するために、互いに同一時間軸上の同一期間に再生処理の対象として扱われる、少なくとも主映像パケット及び副映像パケットをユニット化して、このユニットが複数連続して記録され、副映像パケットは、主映像パケットの主映像に現れる個々の対象物に関する補足情報の群と、主映像の中から任意の対象物を選択するための第１のメニューを構成する第１のメニュー構成情報と、第１のメニューで選択された対象物の関する情報の中から任意の情報を選択するための第２のメニューを構成する複数の第２のメニュー構成情報とを含む記録媒体を再生する再生装置において、副映像パケットから第１のメニュー構成情報を抽出し、これを再生して主映像と共に第１のメニューを表示する第１のメニュー再生手段と、表示された第１のメニューの中から任意に選択された対象物に対応する第２のメニュー構成情報を副映像パケットから抽出し、これを再生して主映像と共に第２のメニューを表示する第２のメニュー再生手段と、表示された第２のメニューの中から任意に選択された対象物に関する補足情報を副映像パケットから抽出し、これを再生して主映像と共に表示する補足情報再生手段とを具備してなるものである。
【００１２】
【作用】
本発明の記録媒体再生装置は以上のように構成されているから、主映像の中から任意の対象物を選択するためのメニューを主映像と共に表示し、そのメニューの中で選択された対象物に関する補足情報を主映像と共に表示することができる。このように本発明においては、副映像の新たな用途を実現でき、しかもメニューを使った選択的要素を副映像に持たせることができる。
【００１３】
また、メニューを階層的に構成することで、補足情報の種類、数を多くしても、高い操作性を維持することが可能になる。
【００１４】
【実施例】
以下、本発明の実施例を図面を参照して説明する。
【００１５】
図１は本発明の実施例の再生装置で再生の対象としているデータストリームの構成を示す図である。
【００１６】
同図に示すように、データストリーム１を構成するデータ単位であるユニットは、互いに同一時間軸上の同一期間に再生処理の対象として扱われる主映像パケット、副映像パケット及び音声パケット（図示省略）とからなる。
【００１７】
主映像パケットは主映像ヘッダ２と主映像データ３とから構成される。副映像パケットは、主映像と同時に再生可能な副映像をメニューを使って選択できるデータ構造を有している。本実施例においては、主映像に表示される登場人物やその他の物体等の対象物（ターゲット）に関する補足情報（登場人物のプロフィール、物体の概要説明等）が副映像として記録されている。
【００１８】
即ち、図１に示すように、副映像パケットは、ターゲットに関する補足情報である複数のターゲット映像チャネル（ＣＨ）４、５、６、７と、ターゲット映像チャネルを選択するためのメニューを構成する、ターゲット毎の複数のメニュー映像チャネル（ＣＨ）８、９、１０と、メニュー映像チャネルを選択するためのターゲットメニューを構成するターゲットメニュー映像チャネル（ＣＨ）１１とから構成される。ここで、ターゲットメニューはターゲットの種類を選択するために用いられ、メニューは選択されたターゲットに関する情報の種類を選択するために用いられる。
【００１９】
各メニュー映像チャネル８、９、１０は、それぞれ、ヘッダ２１とメニュー映像データ２２とから構成される。ヘッダ２１には、本メニューで選択することが可能なターゲット映像チャネルのアドレス２３、２４、２５等が含まれている。ターゲットメニュー映像チャネル１１はヘッダ３１とメニュー映像データ３２とから構成される。ヘッダ３１には、すべてのメニュー映像チャネル８、９、１０のアドレス３３、３４、３５等が含まれている。
【００２０】
一方、主映像パケットＭＰの主映像ヘッダ２には、ターゲットメニュー映像チャネル１１の有無つまりターゲットに関する情報の有無を示すフラグ４１と、ターゲットメニュー映像チャネル１１のアドレス４２等が含まれている。また、主映像チャネルデータ３は動画圧縮データ等の主映像データである。
【００２１】
次に、このデータストリームを対象に、目的のターゲットに関する補足情報を表示させるときの手順について説明する。
【００２２】
１）  主映像ヘッダ２からターゲットメニュー映像チャネル１１のアドレスを読み込み、このアドレスを基にターゲットメニュー映像チャネル１１のメニュー映像データ３２を再生して、ターゲットメニューを表示する。
【００２３】
２）  ターゲットメニューの中から任意のターゲットがユーザによって選択されると、ターゲットメニュー映像チャネル１１のヘッダ３１を基に、選択されたターゲットに対応するメニュー映像チャネルのアドレスを読み込み、このアドレスを基に目的のメニュー映像チャネルのメニュー映像データ２２を再生して、ターゲット関する補足情報の種類を選択するための情報種別メニューを表示する。
３）  メニューの中から任意のターゲットがユーザによって選択されると、メニュー映像チャネルのヘッダ２１を基に、選択されたターゲット映像チャネルのアドレスを読み込み、このアドレスを基に目的のターゲット映像チャネルを再生して、ターゲットに関する補足情報を表示する。
【００２４】
次に、このデータストリームを再生する装置について説明する。図２はこの再生装置の構成を示すブロック図である。
【００２５】
ディスク６１からピックアップ６２によって読み出されたデータは、波形等化ＰＬＬ回路６３を介して同期再生回路６４に送られる。同期再生回路６４で復調されたデータはＥＣＣ回路６５にてエラー訂正され、図１に示すデータ構造のデータストリームとなって出力される。
【００２６】
ＥＣＣ回路６５の出力データは映音分離回路６７で映像と音声のデータに分離され、音声データは音声再生回路６８で再生されてスピーカー６９を通して出力される。一方、映像データ（主映像と副映像）は主映像ヘッダ検出回路７０及びメニューヘッダ検出回路７１に供給される。
【００２７】
主映像ヘッダ検出回路７０は、主映像パケットから主映像ヘッダ２を抽出する一方、主映像データ３を主映像再生回路７２へ供給する。主映像再生回路７２で再生された主映像データは多重回路７３で副映像データと加算された後、ＮＴＳＣジェネレータ７４を介してＴＶ７５に出力される。
【００２８】
一方、主映像ヘッダ検出回路７０は、主映像パケットから抽出した主映像ヘッダ２中のフラグ４１を検出してターゲットに関する補足情報の有無を判定する。この結果、ターゲットに関する補足情報の存在を確認すると、主映像ヘッダ２中のターゲットメニュー映像チャネル１１のアドレスを読み込み、そのアドレスをメニューヘッダ検出回路７１に供給する。
【００２９】
メニューヘッダ検出回路７１は、そのアドレスを基に副映像パケットからターゲットメニュー映像チャネル１１の中のメニュー映像データ３２を分離して副映像再生回路７６へ供給する。副映像再生回路７６はメニュー映像データ３２を再生し、その再生信号を多重回路７３に出力する。これにより、主映像にターゲットメニューを重ねた映像がＴＶ７５に表示される。
【００３０】
ターゲットメニューにはターゲット番号が表示されており、その中でユーザが希望するターゲット番号を制御パネル７７を使ってＭＰＵ７８に与える。ＭＰＵ７８はその番号をメニューヘッダ検出回路７１に転送する。ここで、例えば３番のターゲットが選択されたものとする。この場合、メニューヘッダ検出回路７１は、ターゲットメニュー映像チャネル１１のヘッダ３１を基に、選択された３番のターゲットに対応するメニュー映像チャネルのアドレスを読み込み、このアドレスを基に目的のメニュー映像チャネルのメニュー映像データ２２を副映像再生回路７６へ供給する。副映像再生回路７６はメニュー映像データ２２を再生し、その再生信号を多重回路７３に出力する。これにより、主映像に、ターゲット関する補足情報の種類を選択するための情報種別メニューを重ねた映像がＴＶ７５に表示される。
【００３１】
情報種別メニューには、本ターゲットに関する補足情報の番号が表示されており、その中でユーザが希望する番号を制御パネル７７を使ってＭＰＵ７８に与える。ＭＰＵ７８はその番号をメニューヘッダ検出回路７１に転送する。ここで、例えば２番が選択されたものとする。この場合、メニューヘッダ検出回路７１は、メニュー映像チャネルのヘッダ２１を基に、選択された２番に対応するターゲット映像チャネルのアドレスを読み込み、このアドレスを基に目的のターゲット映像チャネルのデータを副映像再生回路７６へ供給する。副映像再生回路７６はそのターゲット映像チャネルデータを再生し、その再生信号を多重回路７３に出力する。これにより、主映像にターゲットに関する補足情報を重ねた映像がＴＶ７５に表示される。
【００３２】
このように本実施例においては、主映像に登場する個々のターゲットに関する補足情報を主映像に重ねて同時に表示させることができ、しかも、メニューを用いて、希望するターゲットと補足情報の種類を自由に選択することができる。
【００３３】
次に、本発明の他の実施例の再生装置で再生の対象としているデータストリームの構成について説明する。図３はそのデータストリームの構成を示す図である。
【００３４】
本実施例の再生装置で再生の対象としているデータストリーム１は、主映像ヘッダ２に、フラグ４１、ターゲットメニュー映像チャネルのアドレス４２のみならず、各メニュー映像チャネルのアドレス３３、３４、３５及び各ターゲット映像チャネルのアドレス２３、２４、２５、２６、２７を記録したものである。このようなデータ構成にしても、前記と同様の再生機能を実現できる。
【００３５】
また、本実施例の再生装置で再生の対象としているデータストリームの構成においては、各メニュー映像チャネルのアドレスのデータサイズの総和５１と、ターゲット毎の、各ターゲット映像チャネルのアドレスのデータサイズの総和５２、５３が付加されている。このように各チャネルアドレスのデータサイズを記録することによって、主映像ヘッダ２内のアドレス情報の配置構成をデータユニット毎に再生装置が認識できるようになる。従って、データユニット毎に副映像パケット内の各チャネル数を可変にすることができる。
【００３６】
【発明の効果】
以上説明したように本発明によれば、主映像の中から任意の対象物を選択するためのメニューを主映像と共に表示し、そのメニューの中で選択された対象物に関する補足情報を主映像と共に表示することができる。このように本発明においては、副映像の新たな用途を実現でき、しかもメニューを使った選択的要素を副映像に持たせることができる。また、メニューを階層的に構成することで、補足情報の種類、数を多くしても、高い操作性を維持することが可能になる。
【図面の簡単な説明】
【図１】本発明の実施例であるデータストリームの構成を示す図
【図２】図１のデータストリームを記録した光ディスクを再生する再生装置の構成を示すブロック図
【図３】本発明の他の実施例のデータストリームの構成を示す図
【図４】従来の光ディスクにおける記録データの論理フォーマットを示す図
【図５】図４の論理フォーマット中のＤＵＴヘッダの構成を示す図
【符号の説明】
１…データストリーム、２…主映像ヘッダ、３…主映像データ、４、５、６、７…ターゲット映像チャネル、８、９、１０…メニュー映像チャネル、１１…ターゲットメニュー映像チャネル、２１…ヘッダ、２２…メニュー映像データ、２３、２４、２５…ターゲット映像チャネルのアドレス、３１…ヘッダ、３２…メニュー映像データ、３３、３４、３５…メニュー映像チャネルのアドレス、４１…フラグ、４２…ターゲットメニュー映像チャネルのアドレス、５１、５２、５３…アドレスのデータサイズ、７０…主映像ヘッダ検出回路、７１…メニューヘッダ検出回路。
【図１】
0003556311.tif 000002
【図２】
0003556311.tif 000003
【図３】
0003556311.tif 000004
【図４】
0003556311.tif 000005
【図５】
0003556311.tif 000006